(57)【要約】【課題】低コストで容易に構築および解体ができ、作業効率と安定性を向上させることができる吊足場およびその構築方法を提供する。  【解決手段】橋脚１８を挟むように鉛直の両外壁に沿って、複数の作業床３が所定間隔で上下方向につながって配置され、このつながれた作業床３を上下に往来可能とする２つの吊足場１ａ、１ｂをそれぞれ、吊り索５によって吊った状態で配置するとともに、橋脚１８の曲線状の外壁形状に沿うように、両吊足場１ａ、１ｂのほぼ同じ高さに設置されている作業床３の間に、ワイヤロープ２１を両吊足場１ａ、１ｂの長手方向に位置を変えて連結して張設し、このワイヤロープ２１の上に新たに作業床を設けて連結足場２とし、この新たな作業床と両吊足場１ａ、１ｂの作業床３とを往来可能とする。【選択図】  図１
2006057337.tif 000002
【特許請求の範囲】
【請求項１】
構造物の少なくとも三方を囲んで構築される吊足場であって、平面方向において、前記構造物を挟んで配置される２つの吊足場と、該２つの吊足場を連結する連結足場とを備え、前記２つの吊足場はそれぞれ、吊り索によって前記構造物の近傍に吊り下げられて、複数の作業床が所定間隔で上下方向につながって配置され、このつながれた作業床を上下に往来可能とし、前記連結足場は、前記２つの吊足場の作業床と往来可能な作業床を有することを特徴とする吊足場。
【請求項２】
前記２つの吊足場の作業床が、折り畳み可能な支持柱で上下方向につながれた請求項１に記載の吊足場。
【請求項３】
前記連結足場のそれぞれの作業床を、前記２つの吊足場の長手方向に位置を変えて該２つの吊足場と連結可能とした請求項１または２に記載の吊足場。
【請求項４】
平面方向において、前記構造物を挟んで配置される２つの吊足場の長手方向両端部をそれぞれ連結足場で連結して、構造物の四方を囲んで構築される請求項１〜３のいずれかに記載の吊足場。
【請求項５】
構造物の少なくとも三方を囲んで構築される吊足場の構築方法であって、複数の作業床が所定間隔で上下方向につながって、該作業床を上下に往来可能とする２つの吊足場を前記構造物の外壁近傍に吊下げて、平面方向において前記構造物を挟むように配置し、該吊下げて設置した２つの吊足場の間に新たに作業床を架け渡して、前記２つの吊足場を連結する連結足場を設置し、この新たに架け渡した作業床と前記２つの吊足場の作業床とを往来可能とすることを特徴とする吊足場の構築方法。
【請求項６】
前記連結足場のそれぞれの作業床を前記構造物の外壁に沿うように、前記２つの吊足場の長手方向にその連結位置を変えて架け渡して連結する請求項５に記載の吊足場の構築方法。
【請求項７】
平面方向において、前記構造物を挟むように配置する２つの吊足場の長手方向両端部に前記連結足場の作業床を架け渡して連結し、前記構造物の四方を囲んで構築する請求項５または６に記載の吊足場の構築方法。
【発明の詳細な説明】
【技術分野】
【０００１】
本発明は、吊足場およびその構築方法に関し、さらに詳しくは、低コストで容易に構築および解体ができ、作業効率を向上させることができる吊足場およびその構築方法に関するものである。
【背景技術】
【０００２】
構造物の建築現場や補修現場などでは、その外壁の周りに足場を設置して、作業者が高所、低所に移動して建築、補修作業等を行なっている。通常、構造物の外周の地盤上に支柱および作業床からなる枠組足場を用いることが多い。しかし、枠組足場であると、組立と解体に時間がかかり、コストも高くなり、高層構造物には対応できないという問題がある。また、水上に突設されている橋脚等の構造物の場合は、外周となる地盤上に足場を組むことができないので、例えば、構造物に足場用の支持ブラケットを設置して、その支持ブラッケット上に足場を組まなければならない。この方法では、高コストになるとともに、支持ブラケットを設置するための溶接等によって構造物にダメージを与えてしまう。
【０００３】
構造物にダメージを与えず、高層構造物にも対応できる足場としては、構造物の上部からゴンドラを吊るして、このゴンドラを上下移動させて作業を行なうゴンドラ足場がある。しかし、ゴンドラ足場では、何度もゴンドラを移動させる必要があり、一度に広範囲の作業ができずに、時間とコストがかかり、天候に大きく影響を受けるため、安全上も工程管理上も問題がある。また、構造物の外周を全面養生して作業をすることができないので、塗料、錆、部材等の飛散を防ぐことが困難であり、安全上および環境上の問題が生じる。さらに、構造物の外壁が鉛直ではなく、変形した形状をしていると、外壁に沿ってゴンドラ足場を移動させることが困難となり、作業性が悪くなるという問題がある。
【０００４】
構造物の上部から吊るす構造としては、チェーン式吊り階段足場が提案されている（例えば、特許文献１参照）。この提案では、チェーンと踊り場と階段とを備えて、チェーンによって踊り場が上下方向につながっていて、最上部となる踊り場をクレーンで持上げ、構造物上部の架構上に載置して、接合するようにしている。最上部の踊り場を持上げるにしたがって、複数の踊り場が所定の高さ間隔に展開、設置されて、各踊り場を上下に往来可能とする階段が配置される構造となっている。
【０００５】
しかしながら、この提案でも構造物の外壁が鉛直ではなく、変形した形状をしていると、外壁に沿って足場を設置することが困難であり、作業性が悪くなるという問題がある。また、吊るされているので安定性に欠けるという問題もある。
【特許文献１】特開平１１−２５６８１１号公報
【発明の開示】
【発明が解決しようとする課題】
【０００６】
本発明の目的は、低コストで容易に構築および解体ができ、作業効率と安定性を向上させることができる吊足場およびその構築方法を提供することにある。
【課題を解決するための手段】
【０００７】
上記目的を達成するため本発明の吊足場は、構造物の少なくとも三方を囲んで構築される吊足場であって、平面方向において、前記構造物を挟んで配置される２つの吊足場と、該２つの吊足場を連結する連結足場とを備え、前記２つの吊足場はそれぞれ、吊り索によって前記構造物の近傍に吊り下げられて、複数の作業床が所定間隔で上下方向につながって配置され、このつながれた作業床を上下に往来可能とし、前記連結足場は、前記２つの吊足場の作業床と往来可能な作業床を有することを特徴とするものである。
【０００８】
また、本発明の吊足場の構築方法は、構造物の少なくとも三方を囲んで構築される吊足場の構築方法であって、複数の作業床が所定間隔で上下方向につながって、該作業床を上下に往来可能とする２つの吊足場を前記構造物の外壁近傍に吊下げて、平面方向において前記構造物を挟むように配置し、該吊下げて設置した２つの吊足場の間に新たに作業床を架け渡して、前記２つの吊足場を連結する連結足場を設置し、この新たに架け渡した作業床と前記２つの吊足場の作業床とを往来可能とすることを特徴とするものである。
【発明の効果】
【０００９】
本発明の吊足場によれば、構造物の少なくとも三方を囲んで構築される吊足場であって、平面方向において、構造物を挟んで配置される２つの吊足場と、この２つの吊足場を連結する連結足場とを備え、２つの吊足場はそれぞれ、吊り索によって構造物の近傍に吊り下げられて、複数の作業床が所定間隔で上下方向につながって配置され、このつながれた作業床を上下に往来可能とし、連結足場は、２つの吊足場の作業床と往来可能な作業床を有するようにしたので、構築および解体が容易で、部材も少なく、低コストにでき、構造物の少なくとも三方に足場が構築されるので安定性が向上し、それぞれの足場の作業床を往来できるので作業効率も良くなる。
【００１０】
また、本発明の吊足場の構築方法によれば、構造物の少なくとも三方を囲んで構築される吊足場の構築方法であって、複数の作業床が所定間隔で上下方向につながって、この作業床を上下に往来可能とする２つの吊足場を構造物の外壁近傍に吊下げて、平面方向において構造物を挟むように配置し、この吊下げて設置した２つの吊足場の間に新たに作業床を架け渡して、２つの吊足場を連結する連結足場を設置し、この新たに架け渡した作業床と２つの吊足場の作業床とを往来可能とするので、容易に構築および解体ができて、部材も少なく、低コスト化が可能となり、構造物の少なくとも三方に足場が構築されるので安定性が向上し、それぞれの足場の作業床を往来できるので作業効率も良くなる。
【発明を実施するための最良の形態】
【００１１】
以下、本発明の吊足場およびその構築方法を図に示した実施形態に基づいて説明する。図１に水上に突設された橋脚１８に構築された実施形態の一例を示す。鉛直な外壁を有する一対の面にそれぞれ吊足場１ａ、１ｂが設置され、上下方向に曲線状をした外壁を有する面に両吊足場１ａ、１ｂを連結する連結足場２が設置されている。即ち、平面方向において、橋脚１８を挟むように２つの吊足場１ａ、１ｂが配置され、この両吊足場１ａ、１ｂを連結する連結足場２が設けられている。この連結足場２には、未だ作業床が取付けられていない。
【００１２】
両吊足場１ａ、１ｂは、橋脚１８とともに高架橋を構成する図示しない主桁に設けられた足場取付用孔に吊り索５を介して吊下げられている。両吊足場１ａ、１ｂはそれぞれ、所定間隔で上下方向に吊りチェーン４でつながれた複数の作業床３を有していて、それぞれの作業床３をつなぐ吊りチェーン４の中途には手摺７が取付けられて、作業床３の外周を囲むようになっている。作業床３に、エキスパンドメタルを用いると軽量化を図ることができる。また、それぞれの作業床３には、開口ハッチ９が設けられ、各開口ハッチ９に梯子８が架設されて、それぞれの作業床３を往来可能となっている。両吊足場１ａ、１ｂにはそれぞれ、両側面および外側面にメッシュシート１６が張られて覆われている。
【００１３】
作業床３を上下に所定間隔でつなぐ吊りチェーン４に代えてまたは吊りチェーン４に加えて、図１０（ａ）に示すように、折り畳み可能な支持柱２５とすることもできる。上下の作業床３とリンク２６で連結しつつ、中途にリンク２６を有する構造の支持柱１５にすることによって、作業床３の上下間隔を一定に確保できて、安全性を高めることができる。
【００１４】
一方、吊りチェーン４に加えて、図１０（ｂ）に示すように一端部を一方の作業床３にリンク２６で連結して、上端部を他方の作業床３の係合部２７に係合させる支持柱２５として、より単純な構造で安全性を高めることができる。
【００１５】
上記した支持柱２５は、適所に設けるようにするが、すべての作業床３に対して設けると安全性を最も高めることができる。
【００１６】
両吊足場１ａ、１ｂは同じ構造をしているので、一方の吊足場１ａについて、図２によって構造を説明する。図１では、橋脚１８の一方面の半分の長さに吊足場１ａが設置されているが、図２では一方面の全長に渡って吊足場１ａが設置されている状態を示している。吊足場１ａの作業床３は長手方向両側の作業床外枠６に挟まれて固定されている。この作業床外枠６は、枠体連結部１２によって長手方向に連結されている。このように構造物の外壁が長い場合は、複数の作業床３が長手方向に連結される。連結される作業床３の間には、足場板１７および手摺７が設置されてすき間が埋められる。
【００１７】
内側の作業床外枠６には、ガイドローラ１１が備わり、橋脚１８の外壁に当接して、吊足場１ａを吊り上げる際の上下移動を円滑にするとともに、吊足場１ａの振止めの機能を果たしている。
【００１８】
図４に示すように、両吊足場１ａ、１ｂの作業床３を長手方向両側を挟む作業床外枠６の内側の作業床外枠６には、クッション材１４が取付けられたＬ字上の振止金具１３が固定され、橋脚１８にクッション材１４を介して当接するようにして、両吊足場１ａ、１ｂの長手方向の振れを抑制し、安定した設置を可能としている。
【００１９】
図１に示すように、両吊足場１ａ、１ｂのほぼ同じ高さに設置されている作業床３の間には、ワイヤロープ２１が張設されている。このワイヤロープ２１は、それぞれの高さの作業床３で、両吊足場１ａ、１ｂの長手方向に位置を変えて連結していて、上下方向に曲線状をした橋脚１８の外壁面に沿って設置されている。
【００２０】
連結足場２の構造を図３によって、説明するが、この構造を明確にするため、両吊足場１ａ、１ｂの作業床３に設置された手摺７を省略した図としている。両吊足場１ａ、１ｂの作業床３の長手方向両側を挟む作業床外枠６の内側の作業床外枠６に固定されたシャックル２２間にターンバックル２３を介して、２本のワイヤロープ２１が平行に張設され、ターンバックル２３によって、この張力が調整されている。
【００２１】
この２本のワイヤロープ２１の上に作業床２０が配置されて、この作業床２０と両吊足場１ａ、１ｂの作業床３とが往来可能になっている。また、この連結足場２の作業床２０の両側には手摺７が設置されている。
【００２２】
図５に、この橋脚１８の四方を囲むように、橋脚１８を挟んで配置される２つの吊足場１ａ、１ｂと、この両吊足場１ａ、１ｂの長手方向両端部に連結足場２が連結されて構築された際の横断面図を示す。橋脚１８の四方の外壁は、一対の吊足場１ａ、１ｂの作業床３とこの両吊足場１ａ、１ｂを連結するワイヤロープ２１上に設置された連結足場２の作業床２０によって囲まれている。この両吊足場１ａ、１ｂおよび両連結足場２、２と橋脚１８の外壁とは、所定の間隔で足場固定金具２４を介して固定されて、安定性が確保されている。また、両吊足場１ａ、１ｂおよび両連結足場２、２の外側は、メッシュシート１６に覆われて、外部に塗料、錆、部材等が飛散しないようになっている。
【００２３】
本発明の吊足場の構築方法を水上に突設された橋脚１８に構築する場合を例に挙げて、図に基づいて説明する。
【００２４】
第１工程としては、図６に示すように、鉛直な外壁を有する橋脚１８の両面の下にそれぞれ、吊足場１を台船１５で搬送する。橋脚１８の上方に位置する主桁１９に設けられている足場取付用孔からは吊り索５を下げる。この吊り索５を吊足場１の最上部の上部ステージ３ａに設置されたベビーウィンチ１０に取付けて、巻き上げ、吊足場１を上方に吊り上げて、吊りチェーン４で上下につながれた複数の作業床３を外壁の近傍に展開してゆく。この時に吊りチェーン４の中途に取り付けられている手摺７も同時に設置される。吊り上げられる際に、図２で示したガイドローラ１１が外壁に当接して、振れを防止しつつ、円滑な吊り上げを可能にする。また、このようにベビーウィンチ１０を用いるとクレーン等を使用せずに容易に吊足場１の吊り上げができる。
【００２５】
第２工程では、吊足場１を所定の高さまで吊り上げて、複数の作業床３を所定間隔で上下方向に配置するように設置した後に、図７に示すように、各作業床３に格納されていた梯子８を立て起して、それぞれの作業床３を上下に往来可能とする。そして、吊足場１の側面および外側面には、メッシュシートを張る。この実施形態では、橋脚１８の幅が長いので、もう一つの吊足場１を幅方向に並べて同様に設置する。
【００２６】
第３工程として、図２で示したように、それぞれの吊足場１の作業床外枠６どうしを枠体連結部１２によって連結して、図８に示すように、橋脚１８の両外壁の近傍それぞれに、外周面がメッシュシート１６で覆われた吊足場１が設置される。各作業床３と橋脚１８の外壁とは、図５で示したように足場固定金具２４で固定されて、安全性が確保される。
【００２７】
第４工程として、２つの吊足場１を連結する連結足場２が設置される。図３に示すように、一方の吊足場１ａの端部から他方の吊足場１ｂの端部へとワイヤロープ２１を張り渡して、両吊足場１ａ、１ｂの作業床３の内側の作業床外枠６に設けられているシャックル２２にターンバックル２３を介して張設する。このワイヤロープ２１上に作業床２０を設置し、作業床２０の両側には手摺７を設ける。このようにして、両吊足場１ａ、１ｂの作業床３の間に連結足場２の作業床２０を架け渡して、往来が可能となる。この設置作業をそれぞれの高さに配置された作業床３に対して行なって連結足場２を設置する。連結足場２の作業床２０と橋脚１８の外壁とは、図５で示したように足場固定金具２４で固定されて安全性が確保される。
【００２８】
連結足場２が設置された後は、図９に示すように、連結足場２の外側にメッシュシート１６を張り、本発明の吊足場の構築が完了する。尚、この吊足場を解体する場合は、構築の反対の作業をすればよい。
【００２９】
両吊足場１ａ、１ｂの作業床３の内側の作業床外枠６に設けられているシャックル２２の位置を両吊足場１ａ、１ｂの長手方向に変えることによって、橋脚１８の外壁の曲線状の形状に沿うように連結足場２の作業床２０を設置することができる。これによって、作業床２０と外壁の間隔が極端に変化することがなくなり、作業者は容易に外壁に対して作業を行うことができて、作業効率が向上する。
【００３０】
両吊足場１にメッシュシート１６を張るには、図９に示すようにメッシュシート１６を吊足場１の上端部に巻き上げた状態で設置しておき、吊足場１の吊り上げが完了した後に、この巻状のメッシュシート１６を解き放すようにすると、効率よく張ることができる。連結足場２に張るメッシュシート１６についても、同様にして張ることができる。
【００３１】
また、最下部に位置する一対の吊足場１の作業床３および連結足場２の作業床２０と橋脚１８の外壁とのすき間にもメッシュシート１６を張って落下物を回収するようにするのが好ましい。
【００３２】
このように構築された本発明の吊足場を用いて、橋脚１８に対して建築作業や補修作業をおこなうので、一度に広範囲について作業ができ、低コストおよび効率のよい作業が可能となる。また、構築および解体も容易で、短時間で完了でき、部材も枠組足場と比べて少ないので、コストを削減することができる。
【００３３】
また、橋脚１８の少なくとも三方、好ましくは四方を囲むように、一対の吊足場１ａ、１ｂとこれらの長手方向両端部を連結足場２で連結するように構築することで、風雨等の外部環境に対してより安定的に足場を橋脚１８に構築することができる。
【００３４】
橋脚１８の外壁と当接している吊足場１のガイドローラ１１を移動可能または取り外し可能にしておくと、例えば、塗料の塗布作業をする場合には容易に塗り残しなく塗布作業ができる。
【００３５】
この実施形態では、水上に突設された橋脚に吊足場を構築する場合を説明したが、地上に建造されている構造物に対しても、同様に構築することができる。この場合は、吊足場１の搬送等には、トラック車両等が使用される。
【図面の簡単な説明】
【００３６】
【図１】本発明の吊足場の実施形態の一例を示す斜視図である。
【図２】本発明の吊足場を構成し、構造物を挟むように配置される吊足場の構造を示す斜視図である。
【図３】本発明の吊足場を構成する連結足場の構造を示す斜視図である。
【図４】図３のＡ矢視拡大図である。
【図５】本発明の吊足場と橋脚との固定状態を示す横断面図である。
【図６】本発明の吊足場の構築方法の第１工程を説明する全体概要側面図である。
【図７】本発明の吊足場の構築方法の第２工程を説明する全体概要側面図である。
【図８】本発明の吊足場の構築方法の第３工程を説明する全体概要側面図である。
【図９】本発明の吊足場の構築方法の第４工程を説明する全体概要側面図である。
【図１０】折り畳みの可能な支持柱の例を示す説明図である。
【符号の説明】
【００３７】
１、１ａ、１ｂ  構造物を挟むように配置される吊足場
２  連結足場  
３  構造物を挟むように配置される吊足場の作業床
３ａ  上部ステージ
４  吊りチェーン
５  吊り索
６  作業床外枠
７  手摺
８  梯子
９  開口ハッチ
１０  ベビーウィンチ
１１  ガイドローラ
１２  枠体連結部
１３  振止金具
１４  クッション材
１５  台船
１６  メッシュシート
１７  足場板
１８  橋脚
１９  主桁
２０  連結足場の作業床
２１  ワイヤロープ
２２  シャックル
２３  ターンバックル
２４  足場固定金具
２５  支持柱
２６  リンク
２７  係合部
【図１】
2006057337.tif 000003
【図２】
2006057337.tif 000004
【図３】
2006057337.tif 000005
【図４】
2006057337.tif 000006
【図５】
2006057337.tif 000007
【図６】
2006057337.tif 000008
【図７】
2006057337.tif 000009
【図８】
2006057337.tif 000010
【図９】
2006057337.tif 000011
【図１０】
2006057337.tif 000012